(57)【要約】【課題】Ｂｌｕｅｔｏｏｔｈと無線ＬＡＮとの両方のインターフェイスを備えた情報機器間で、Ｂｌｕｅｔｏｏｔｈ固有の機能を活かして、省電力でしかも、容易に無線ＬＡＮを構築する情報通信装置を提供する。【解決手段】デュアル無線情報機器１−１、１−２と、Ｂｌｕｅｔｏｏｔｈインターフェイスを備えた情報機器であるＢｌｕｅｔｏｏｔｈ情報機器２と、無線ＬＡＮインターフェイスのみを備えた情報機器３と、Ｂｌｕｅｔｏｏｔｈインターフェイスを備えた携帯電話であるＢｌｕｅｔｏｏｔｈ携帯電話４と、を有する通信システムにおいて、デュアル無線情報機器１−１、１−２同士は、Ｂｌｕｅｔｏｏｔｈと無線ＬＡＮとのインターフェイスをそれぞれ用途に応じて、使い分け、無線ＬＡＮインターフェイスの無駄な電力消費を抑えると共に、必要に応じて無線ＬＡＮを使用し、通信速度を確保して、通信を行う。【選択図】　　　　図１
2004112225.tif 000002
【特許請求の範囲】
【請求項１】
ＩＥＥＥ８０２．１１規格の無線ＬＡＮインターフェイスと、Ｂｌｕｅｔｏｏｔｈ規格の無線通信インターフェイスとを有する情報通信装置において、
ＩＥＥＥ８０２．１１規格の無線ＬＡＮによる通信が可能である主旨を、Ｂｌｕｅｔｏｏｔｈ規格のサービスディスカバリープロトコルに登録する登録手段と、
Ｂｌｕｅｔｏｏｔｈ機器が、前記サービスディスカバリープロトコルを用いて前記ＩＥＥＥ８０２．１１規格の無線ＬＡＮによる通信が可能である主旨を検索する検索手段と、
を有することを特徴とする情報通信装置。
【請求項２】
ＩＥＥＥ８０２．１１規格の無線ＬＡＮインターフェイスと、Ｂｌｕｅｔｏｏｔｈ規格の無線通信インターフェイスとを有する情報通信装置において、
Ｂｌｕｅｔｏｏｔｈ規格のＬＡＮアクセスプロファイルによりＬＡＮアクセスを行う通信手段と、
ＩＥＥＥ８０２．１１規格の無線ＬＡＮによる通信が可能である主旨を、Ｂｌｕｅｔｏｏｔｈのサービスディスカバリープロトコルの定めるＬＡＮアクセスプロファイルサービスに登録する登録手段と、
Ｂｌｕｅｔｏｏｔｈ通信機器が、前記サービスディスカバリープロトコルを用いて前記ＩＥＥＥ８０２．１１規格の無線ＬＡＮによる通信が可能である主旨を検索する検索手段と、
を有することを特徴とする情報通信装置。
【請求項３】
ＩＥＥＥ８０２．１１規格の無線ＬＡＮインターフェイスと、Ｂｌｕｅｔｏｏｔｈ規格の無線通信インターフェイスとを有する情報通信装置において、
Ｂｌｕｅｔｏｏｔｈ規格のサービスディスカバリープロトコルに、ＩＥＥＥ８０２．１１規格の無線ＬＡＮによる通信が可能な主旨を設定する主旨設定手段と、
前記主旨設定手段により、前記ＩＥＥＥ８０２．１１規格の無線ＬＡＮインターフェイスと、前記Ｂｌｕｅｔｏｏｔｈ規格の無線通信インターフェイスと、を切り替えて通信を行う切替手段と、
を有することを特徴とする情報通信装置。
【請求項４】
ＩＥＥＥ８０２．１１規格の無線ＬＡＮインターフェイスと、Ｂｌｕｅｔｏｏｔｈ規格の無線通信インターフェイスとを有し、Ｂｌｕｅｔｏｏｔｈ規格のＬＡＮアクセスプロファイルを用いてＬＡＮアクセスを行う情報通信装置において、
ＩＥＥＥ８０２．１１規格の無線ＬＡＮによる通信が可能な主旨を、Ｂｌｕｅｔｏｏｔｈ規格のサービスディスカバリープロトコルの定めるＬＡＮアクセスプロファイルサービスに登録する登録手段と、
前記ＩＥＥＥ８０２．１１規格の無線ＬＡＮ通信により通信可能か否かを検索する検索手段と、
を有することを特徴とする情報通信装置。
【請求項５】
前記Ｂｌｕｅｔｏｏｔｈ規格の無線通信インターフェイスを用いたＢｌｕｅｔｏｏｔｈ通信により、前記無線ＬＡＮの設定情報を検索する設定情報検索手段と、
前記設定情報検索手段により検索した設定情報を、前記Ｂｌｕｅｔｏｏｔｈ通信により返信する返信手段と、
を有することを特徴とする請求項１または２記載の情報通信装置。
【請求項６】
前記Ｂｌｕｅｔｏｏｔｈ規格の無線通信インターフェイスを用いたＢｌｕｅｔｏｏｔｈ通信により、前記無線ＬＡＮ通信の設定情報を変更する主旨を外部の情報通信装置に指示する変更指示手段と、
前記無線ＬＡＮ通信の設定情報を変更する主旨を前記Ｂｌｕｅｔｏｏｔｈ通信により外部から受け取り、前記無線ＬＡＮインターフェイスの設定情報を変更する変更手段と、
を有することを特徴とする請求項１または２記載の情報通信装置。
【請求項７】
前記Ｂｌｕｅｔｏｏｔｈ通信を用いて、前記無線ＬＡＮアクセスポイントに接続する設定情報の仲介を行う仲介手段と、
前記無線ＬＡＮアクセスポイントを介した通信を指示する通信指示手段と、
を有し、前記無線ＬＡＮインターフェイスによる無線ＬＡＮ通信を行うことを特徴とする請求項５または６記載の情報通信装置。
【請求項８】
前記ＩＥＥＥ８０２．１１規格の無線ＬＡＮの設定情報を検索する設定情報検索手段と、
前記設定情報検索手段により検索した設定情報を送信する送信手段と、
を有することを特徴とする請求項３または４記載の情報通信装置。
【請求項９】
前記ＩＥＥＥ８０２．１１規格の無線ＬＡＮの設定情報を設定する情報設定手段を有することを特徴とする請求項３または４記載の情報通信装置。
【請求項１０】
前記情報設定手段は、
前記設定情報の変更を外部の情報機器に指示する指示手段と、
前記指示手段による指示を、Ｂｌｕｅｔｏｏｔｈインターフェイスを用いた通信により受け取り、承諾すると、前記指示に従い、無線ＬＡＮの設定情報を変更する変更手段と、
を有することを特徴とする請求項９記載の情報通信装置。
【請求項１１】
前記設定情報は、
前記ＩＥＥＥ８０２．１１規格の前記無線ＬＡＮインターフェイスのアドホックモードまたはインフラストラクチャーモードの何れか、ＷＥＰ、ＥＳＳ−ＩＤ、使用チャネル、通信速度、変調方式等であることを特徴とする請求項５から１０の何れか１項に記載の情報通信装置。
【発明の詳細な説明】
【０００１】
【発明の属する技術分野】
本発明は、無線通信技術に関し、特にＢｌｕｅｔｏｏｔｈとＩＥＥＥ８０２．１１規格との無線通信方式を用いた情報通信装置に関する。
【０００２】
【従来の技術】
近年、ＩＥＥＥ８０２．１１ｂ規格等の無線ＬＡＮの普及が進み、オフィスや家庭内で、無線ＬＡＮネットワークを構築し、無線ＬＡＮインターフェイスを搭載したパーソナルコンピュータを自由に持ち運べようになっている。
なお、ＩＥＥＥ８０２．１１ｂ規格とは、ＩＥＥＥ８０２．１１規格を基に策定されたＬＡＮ通信を行う通信方式の１つであり、現在、他にＩＥＥＥ８０２．１１ａ規格や、ＩＥＥＥ８０２．１１ｇ規格の通信方式が実用化されつつある。
【０００３】
ＩＥＥＥ８０２．１１ｂ方式は２．４ＧＨｚ帯の電波を用い、最大通信速度が１１Ｍｂｐｓであり、一般的に普及している通信方式である。このＩＥＥＥ８０２．１１ｂ方式は、ＩＥＥＥ８０２．１１方式（２．４ＧＨｚ帯の電波を用い、通信速度は１Ｍｂｐｓ、２Ｍｂｐｓである通信方式）を改良したものである。
【０００４】
一方、ＩＥＥＥ８０２．１１ａ方式は、より周波数の高い、５ＧＨｚ帯の電波を用い、最大通信速度が５４Ｍｂｐｓである通信方式を指す。
また、ＩＥＥＥ８０２．１１ｇ方式は、２．４ＧＨｚ帯の電波を用い、複数の変調方式を採用し、通信速度が可変可能であり、その最大通信速度は５４Ｍｂｐｓである通信方式を指す。
【０００５】
また、近年のオフィス業務のディジタル化に伴い、パーソナルコンピュータが業務遂行に不可欠となり、ノートパソコン等の情報機器を用いて会議が行われている。なお、無線ＬＡＮインターフェイスは、ノートパソコンを用いて電子会議を行う場合、他の通信機器あるいは社内のＬＡＮに接続する際に、イーサーネットＬＡＮケーブルを情報機器に挿入する手間が不要なので便利である。
【０００６】
また、インフラストラクチャーモードでＬＡＮアクセスポイントを用いなくても、アドホックモードによって、直接パーソナルコンピュータ同士で局所的なネットワークを構築することが可能となっており、今後もこのように無線通信を利用して、データを共有する電子会議の方式が普及すると考えられる。
【０００７】
一方、ＩＥＥＥ８０２．１１方式とは別に、２．４ＧＨｚ帯を用いたＢｌｕｅｔｏｏｔｈという通信方式も市場に普及し始めている。
これは、パーソナルコンピュータと携帯電話、あるいはＦＡＸ等の異なる機種間で、異なるインターフェイスを用いてケーブル接続を行っていたものを、１つの無線インターフェイスにまとめたものであり、互換性に優れている。
【０００８】
このＢｌｕｅｔｏｏｔｈ通信方式の特徴の１つに、簡易ネットワークを構築することが容易であることが挙げられる。また、インクワイアリーを用いて周囲のＢｌｕｅｔｏｏｔｈデバイスの情報を自動的に収集する。
また、周囲に発見されたデバイスがどのようなサービスをもっているかを、サービスディスカバリープロトコルにより、容易に知ることが可能となる。
【０００９】
Ｂｌｕｅｔｏｏｔｈ通信方式は、通信速度は最大でも７２１ｋｂｐｓであるが、携帯電話等のモバイル機器で使用できることが前提となるため、消費電力が非常に小さく、１０ｍ以内の短距離間の通信で、通信中の消費電力は僅か数１０ｍＷで済み、これは最大１Ｗを消費するＩＥＥＥ８０２．１１ｂに対して大きな利点である。
【００１０】
また、ノートＰＣにＢｌｕｅｔｏｏｔｈを搭載した製品も商品化されるようになり、今後さらに普及する見込みがある。
また、現在においてＢｌｕｅｔｏｏｔｈ通信方式は、携帯電話と通信する機能が中心であるが、消費電力が小さいことと、また、ネットワーク構築が容易である特性を用いて、パーソナルコンピュータ同士で電子会議を行う際に用いられることが考えられる。
【００１１】
また、本発明の従来技術として、Ｂｌｕｅｔｏｏｔｈと無線ＬＡＮとの両方式のインターフェイスを備えた情報機器の発明がある（特許文献１、２参照）。
【００１２】
特許文献１は、ノートＰＣにおいて、無線ＬＡＮとＢｌｕｅｔｏｏｔｈとの両方の通信方式を使用する場合において、周波数帯の異なる同じ無線方式を利用した通信インターフェイスをＰＣカードスロットに挿入した場合に顕著になる電波の干渉を低減することを目的とした技術が開示されている。
【００１３】
また、特許文献２は、片方のインターフェイスを使用している間は、他方のインターフェイスの受送信機能を停止させる。
また、Ｂｌｕｅｔｏｏｔｈのパークモードやホールドモードの省電力を用いる技術や、使用するアプリケーションに応じて、Ｂｌｕｅｔｏｏｔｈを用いるか、または、無線ＬＡＮを用いるか、を指定する技術が開示されている。
また、Ｂｌｕｅｔｏｏｔｈと無線ＬＡＮとの通信を同時に行う際の、パケットスロットのスケジューリングに関するハードウェア制御関係の技術が開示されている。
【００１４】
【特許文献１】
特開２００１−３１２３３９号公報
【特許文献２】
特開２００１−２１７８５３号公報
【００１５】
【発明が解決しようとする課題】
しかしながら、特許文献１においては、ノートＰＣと離れた場所に２つのアンテナを搭載し、ＰＣカードスロットに同軸ケーブルで引き回す。一方、ＰＣカードスロット及び、無線ＬＡＮ／Ｂｌｕｅｔｏｏｔｈ　ＰＣカードは、通常のインターフェイスに加えて、同軸ケーブルに接続するための別のインターフェイスを備える装置の構成によるものであり、特に２つの無線インターフェイスを効果的に使用する方法に関しては何ら言及されていない。
【００１６】
また、特許文献２においては、両方の無線インターフェイスをそれぞれ別個に、異なる使い方で独立に使用している。Ｂｌｕｅｔｏｏｔｈにはインクワイアリーを用いたデバイス検索や、サービスの検索などの機能があり、柔軟で容易なネットワーク構築が可能となっている。
【００１７】
また、ＢｌｕｅｔｏｏｔｈとＩＥＥＥ８０２．１１ｂとの通信方式を搭載した商品、あるいはより高速なＩＥＥＥ８０２．１１ａやＩＥＥＥ８０２．１１ｇとＢｌｕｅｔｏｏｔｈとの通信方式を搭載した商品も出現すると考えられる。
【００１８】
特に、５ＧＨｚ帯を用いるＩＥＥＥ８０２．１１ａ通信方式は２．４ＧＨｚ帯を用いるＢｌｕｅｔｏｏｔｈによる干渉を受けにくいことも利点の１つとして挙げられる。
【００１９】
現在は、パーソナルコンピュータに搭載されるのはＩＥＥＥ８０２．１１ｂ規格の通信インターフェイスが多いが、ＩＥＥＥ８０２．１１規格の通信方式はＢｌｕｅｔｏｏｔｈに比べて消費電力が大きいため、電子会議等に用いる場合、バッテリーを浪費することが問題になる。
しかしながら、電源ケーブルを会議の場に持って行き、電源タップを探して接続するのは煩わしい作業であり、持ち運ぶ機器の重量も増加する。
従って、より消費電力の低い無線インターフェイスが望まれる。
【００２０】
一方、Ｂｌｕｅｔｏｏｔｈは、消費電力が少ないため、電源ケーブルを使わなくても、会議の間に、ノートＰＣをバッテリー駆動で使用することが可能である。しかし、通信速度が遅いので、容量の大きな電子文書を配布する場合、または会議の参加人数が多い場合などに、会議の進行を遅らせる可能性が生じる。
【００２１】
本発明は、上記事情に鑑みてなされたものであり、Ｂｌｕｅｔｏｏｔｈと無線ＬＡＮとの両方のインターフェイスを備えた情報機器間で、Ｂｌｕｅｔｏｏｔｈ固有の機能を活かして、省電力でしかも、容易に無線ＬＡＮを構築する情報通信装置を提供することを目的とする。
【００２２】
【課題を解決するための手段】
かかる目的を達成するために本発明は以下のような特徴を有する。
請求項１記載の発明は、ＩＥＥＥ８０２．１１規格の無線ＬＡＮインターフェイスと、Ｂｌｕｅｔｏｏｔｈ規格の無線通信インターフェイスとを有する情報通信装置において、ＩＥＥＥ８０２．１１規格の無線ＬＡＮによる通信が可能である主旨を、Ｂｌｕｅｔｏｏｔｈ規格のサービスディスカバリープロトコルに登録する登録手段と、Ｂｌｕｅｔｏｏｔｈ機器が、サービスディスカバリープロトコルを用いてＩＥＥＥ８０２．１１規格の無線ＬＡＮによる通信が可能である主旨を検索する検索手段と、を有することを特徴とする。
【００２３】
請求項２記載の発明は、ＩＥＥＥ８０２．１１規格の無線ＬＡＮインターフェイスと、Ｂｌｕｅｔｏｏｔｈ規格の無線通信インターフェイスとを有する情報通信装置において、Ｂｌｕｅｔｏｏｔｈ規格のＬＡＮアクセスプロファイルによりＬＡＮアクセスを行う通信手段と、ＩＥＥＥ８０２．１１規格の無線ＬＡＮによる通信が可能である主旨を、Ｂｌｕｅｔｏｏｔｈのサービスディスカバリープロトコルの定めるＬＡＮアクセスプロファイルサービスに登録する登録手段と、Ｂｌｕｅｔｏｏｔｈ通信機器が、サービスディスカバリープロトコルを用いてＩＥＥＥ８０２．１１規格の無線ＬＡＮによる通信が可能である主旨を検索する検索手段と、を有することを特徴とする。
【００２４】
請求項３記載の発明は、ＩＥＥＥ８０２．１１規格の無線ＬＡＮインターフェイスと、Ｂｌｕｅｔｏｏｔｈ規格の無線通信インターフェイスとを有する情報通信装置において、Ｂｌｕｅｔｏｏｔｈ規格のサービスディスカバリープロトコルに、ＩＥＥＥ８０２．１１規格の無線ＬＡＮによる通信が可能な主旨を設定する主旨設定手段と、主旨設定手段により、ＩＥＥＥ８０２．１１規格の無線ＬＡＮインターフェイスと、Ｂｌｕｅｔｏｏｔｈ規格の無線通信インターフェイスと、を切り替えて通信を行う切替手段と、を有することを特徴とする。
【００２５】
請求項４記載の発明は、ＩＥＥＥ８０２．１１規格の無線ＬＡＮインターフェイスと、Ｂｌｕｅｔｏｏｔｈ規格の無線通信インターフェイスとを有し、Ｂｌｕｅｔｏｏｔｈ規格のＬＡＮアクセスプロファイルを用いてＬＡＮアクセスを行う情報通信装置において、ＩＥＥＥ８０２．１１規格の無線ＬＡＮによる通信が可能な主旨を、Ｂｌｕｅｔｏｏｔｈ規格のサービスディスカバリープロトコルの定めるＬＡＮアクセスプロファイルサービスに登録する登録手段と、ＩＥＥＥ８０２．１１規格の無線ＬＡＮ通信により通信可能か否かを検索する検索手段と、を有することを特徴とする。
【００２６】
請求項５記載の発明は、請求項１または２記載の情報通信装置において、Ｂｌｕｅｔｏｏｔｈ規格の無線通信インターフェイスを用いたＢｌｕｅｔｏｏｔｈ通信により、無線ＬＡＮの設定情報を検索する設定情報検索手段と、設定情報検索手段により検索した設定情報を、Ｂｌｕｅｔｏｏｔｈ通信により返信する返信手段と、を有することを特徴とする。
【００２７】
請求項６記載の発明は、請求項１または２記載の情報通信装置において、Ｂｌｕｅｔｏｏｔｈ規格の無線通信インターフェイスを用いたＢｌｕｅｔｏｏｔｈ通信により、無線ＬＡＮ通信の設定情報を変更する主旨を外部の情報通信装置に指示する変更指示手段と、無線ＬＡＮ通信の設定情報を変更する主旨をＢｌｕｅｔｏｏｔｈ通信により外部から受け取り、無線ＬＡＮインターフェイスの設定情報を変更する変更手段と、を有することを特徴とする。
【００２８】
請求項７記載の発明は、請求項５または６記載の情報通信装置において、Ｂｌｕｅｔｏｏｔｈ通信を用いて、無線ＬＡＮアクセスポイントに接続する設定情報の仲介を行う仲介手段と、無線ＬＡＮアクセスポイントを介した通信を指示する通信指示手段と、を有し、無線ＬＡＮインターフェイスによる無線ＬＡＮ通信を行うことを特徴とする。
【００２９】
請求項８記載の発明は、請求項３または４記載の情報通信装置において、ＩＥＥＥ８０２．１１規格の無線ＬＡＮの設定情報を検索する設定情報検索手段と、設定情報検索手段により検索した設定情報を送信する送信手段と、を有することを特徴とする。
【００３０】
請求項９記載の発明は、請求項３または４記載の情報通信装置において、ＩＥＥＥ８０２．１１規格の無線ＬＡＮの設定情報を設定する情報設定手段を有することを特徴とする。
【００３１】
請求項１０記載の発明は、請求項９記載の情報通信装置において、情報設定手段は、設定情報の変更を外部の情報機器に指示する指示手段と、指示手段による指示を、Ｂｌｕｅｔｏｏｔｈインターフェイスを用いた通信により受け取り、承諾すると、指示に従い、無線ＬＡＮの設定情報を変更する変更手段と、を有することを特徴とする。
【００３２】
請求項１１記載の発明は、請求項５から１０の何れか１項に記載の情報通信装置において、設定情報は、ＩＥＥＥ８０２．１１規格の無線ＬＡＮインターフェイスのアドホックモードまたはインフラストラクチャーモードの何れか、ＷＥＰ、ＥＳＳ−ＩＤ、使用チャネル、通信速度、変調方式等であることを特徴とする。
【００３３】
【発明の実施の形態】
以下、添付図面を参照しながら本発明にかかる実施の形態について詳細に説明する。
図１は、Ｂｌｕｅｔｏｏｔｈ規格の無線通信インターフェイスと、ＩＥＥＥ８０２．１１規格の無線ＬＡＮインターフェイスと、の両方を備えた情報機器（以下、デュアル無線情報機器１とする）、を有する無線通信システムの構成を示す図である。
【００３４】
本実施の形態における無線通信システムは、デュアル無線情報機器１−１、１−２と、Ｂｌｕｅｔｏｏｔｈインターフェイスを備えた情報機器であるＢｌｕｅｔｏｏｔｈ情報機器２と、無線ＬＡＮインターフェイスのみを備えた情報機器３と、Ｂｌｕｅｔｏｏｔｈインターフェイスを備えた携帯電話であるＢｌｕｅｔｏｏｔｈ携帯電話４と、を有して構成される。
【００３５】
上記構成からなる通信システムにおいて、デュアル無線情報機器１−１、１−２同士は、Ｂｌｕｅｔｏｏｔｈと無線ＬＡＮとのインターフェイスをそれぞれ用途に応じて、使い分け、無線ＬＡＮインターフェイスの無駄な電力消費を抑えると共に、必要に応じて無線ＬＡＮを使用し、通信速度を確保して、通信を行っている。
一方、デュアル無線情報機器１−１、１−２は、通常のＢｌｕｅｔｏｏｔｈインターフェイスを備えた情報機器（Ｂｌｕｅｔｏｏｔｈ情報機器２）、Ｂｌｕｅｔｏｏｔｈインターフェイスを備えた携帯電話（Ｂｌｕｅｔｏｏｔｈ携帯電話４）とＢｌｕｅｔｏｏｔｈによる通信６を行うことも可能である。
また、無線ＬＡＮインターフェイスのみを備えた情報機器３と無線ＬＡＮによる通信７を行うことも可能である。なお、図１による無線ＬＡＮ通信７ではアドホックモードで通信を行っている。
【００３６】
次に、図２を参照しながら、第２の通信システム構成について説明する。
第２の通信システムは、デュアル無線情報機器１−１、１−２と、無線ＬＡＮアクセスポイント５と、を有して構成される。
上記構成からなる第２の通信システムは、デュアル無線情報機器１−１、１−２同士が無線ＬＡＮ通信７を行う際、インフラストラクチャーモードを使用して、無線ＬＡＮアクセスポイント５を介して通信を行う例である。
この際、無線ＬＡＮアクセスポイント５がＢｌｕｅｔｏｏｔｈインターフェイスを有していることも可能である。
【００３７】
図３に、デュアル無線情報機器１の通信手段とそのドライバ、及び両無線インターフェイスを選択して通信を行うアプリケーションの構成を示し、その機能の概略を説明する。
まず、Ｂｌｕｅｔｏｏｔｈの部分の構成を簡単に説明する。
無線の受送信を行う物理層１１の周波数やチャネルの管理はベースバンド層１２で行われている。論理リンク制御層（ＬＬＣ層）１３は、ベースバンド層１２のリンク、及び論理リンクの管理を行っている。ＬＬＣ層１３は、Ｂｌｕｅｔｏｏｔｈ仕様では、リンクマネージャー（ＬＭ）層、Ｌ２ＣＡＰ層に相当する。
【００３８】
更にＬＬＣ層１３の上位には、論理リンク層の管理を行うＬ２ＣＡＰ層３１、サービスの管理・検索を行うサービスディスカバリープロトコル（ＳＤＰ）３２、シリアル通信をエミュレートするＲＦＣＯＭＭ層３３、音声通信を行うＴＣＳ層３４等の上位のプロトコル層１４が位置し、この中のＲＦＣＯＭＭ層３３の上位に、ＬＡＮアクセスプロトコル層３５があり、これを用いて、Ｂｌｕｅｔｏｏｔｈ上でＬＡＮ通信をエミュレートした通信が行えるようになっている。図中では、簡略化のために１つのブロックにまとめたが、ＴＣＰ　ＵＤＰ／ＩＰ等のレイヤーを含んでいるとする。
【００３９】
次に無線ＬＡＮの部分について構成を説明する。
物理層２１は、ＭＡＣ層２２によって制御されている。例えば、ＩＥＥＥ８０２．１１ｂではＭＡＣ層２２はＣＳＭＡ／ＣＡを用いて、通信キャリアが衝突しないための制御を行う。
また、ＭＡＣ層２２の上には、ＬＬＣ層２３が位置し、ＩＥＥＥ８０２．２規格で定められた論理リンク制御を行っている。ＭＡＣ層２２はＬＬＣ層２３によってデータ制御が行われている。その上位には、プレゼンテーション層／トランスポート層／セッション層／ネットワーク層に相当するＨＬＬＩ層（高位層インターフェイス）２４が位置し、これはＩＥＥＥ８０２．１規格で定められている。
【００４０】
なお、ＭＡＣ層２２以下の層はＩＥＥＥ８０２．１１の規格毎に異なるが、ＬＬＣ層２３以上は、共通である。
また、例えば、ＩＥＥＥ８０２．１１ａとＩＥＥＥ８０２．１１ｂとの規格の物理層２１と、それぞれのＭＡＣ層２２と、そのどちらを選択するかの手段を兼ね備え、ＩＥＥＥ８０２．１１ａとＩＥＥＥ８０２．１１ｂとの方式によって、無線ＬＡＮ通信を行うことも可能である。
勿論、これ以外の組み合わせも可能である。
【００４１】
次に、Ｂｌｕｅｔｏｏｔｈと無線ＬＡＮとの共通部分について説明する。
Ｂｌｕｅｔｏｏｔｈまたは無線ＬＡＮの無線インターフェイスを制御する層の上には、Ｂｌｕｅｔｏｏｔｈ及び無線ＬＡＮによって通信を行うことが可能なアプリケーション１７がある。そのうち、無線インターフェイスの状態を管理する、また、どの無線インターフェイスを用いて通信を行うかを管理するのが、インターフェイス管理・選択部１６である。
インターフェイス管理・選択部１６は、相手のデバイスが、どの無線インターフェイスを備えているか、その性能、設定情報を管理する。
例えば、デバイスのＢｌｕｅｔｏｏｔｈアドレス、Ｂｌｕｅｔｏｏｔｈデバイスクラス、デバイス名、無線ＬＡＮ、ＭＡＣアドレス、無線ＬＡＮ方式名、ＩＰアドレスなどをまとめて管理する。
【００４２】
また、デュアル無線情報機器１同士でファイル転送を行う場合、Ｂｌｕｅｔｏｏｔｈ上位プロトコル層１４のＦＴＰ（ファイル転送プロトコル）を用いるか、無線ＬＡＮを用いるかを決定する。また、お互いＬＡＮ上で起動するアプリケーションによってデータを共有している場合に、ＢｌｕｅｔｏｏｔｈのＬＡＮアクセスプロトコルを用いて通信するか、あるいは無線ＬＡＮを用いるかなどの選択を行う機能を有している。
【００４３】
また、ＩＥＥＥ８０２．１１物理層２１は、無線ＬＡＮ電源制御部２５により電源の制御を受ける。
即ち、インターフェイス管理・選択部１６から、電源をＯＮ／ＯＦＦ、または休止状態にする命令を受けるか、その要求を受けると、無線ＬＡＮ電源制御部２５は命令に従い、無線ＬＡＮハードデバイスに供給される電源のＯＮ／ＯＦＦ及び、デバイスの一部の電源供給を停止した休止状態にする。
インターフェイス管理・選択部１６が休止状態になるように命令すると、無線ＬＡＮ電源制御部２５は無線ハードウェアの受送信回路の電源を切り、電波の送信が出来ない状態にするが、設定情報はメモリに記憶したまま保存する。この状態から、電源をＯＮにすると、休止状態に入る前の設定状態に復旧することが可能となる。
【００４４】
一方、インターフェイス管理・選択部１６が電源ＯＦＦにするよう命じた場合、無線ＬＡＮインターフェイスの電源供給は完全に停止されるものとする。
実際には、無線ＬＡＮインターフェイスの電源がＯＦＦになっていると、情報機器１に無線ＬＡＮデバイスが認識されない可能性があるので、電波の受送信を休止した休止状態にすることが望ましい。
【００４５】
次に本実施の形態における処理動作について説明する。
以下の処理動作では、基本的に電源ＯＮの状態と休止状態との状態遷移のみを扱うことにする。また、Ｂｌｕｅｔｏｏｔｈインターフェイスも同様の電源制御部を備えることも可能である。
しかし、Ｂｌｕｅｔｏｏｔｈの電源を切ってしまうと、デバイス検索や、サービス検索など、Ｂｌｕｅｔｏｏｔｈの長所の１つであるネットワーク構築容易性が損なわれてしまうので、常に電源が入っていることが望ましい。
特に、通信を行っていないスタンバイ状態においては、消費電力は少ないので問題にならにない。もし、通信相手とピコネットを形成していない場合は（スタンバイ状態）、消費電力は少ないので、特にＢｌｕｅｔｏｏｔｈの電源を切るなどの操作を行う必要は無い。
ピコネットに加わっている場合、マスターとスレーブは同期を維持するために、ＰＯＬＬパケット及びＮＵＬＬパケットを一定間隔で受送信するため、スタンバイ状態に比べて、消費電力が大きくなる。
【００４６】
また、ピコネットに参加している場合において、ピコネットに同期を取る必要はあるが、特に有効なデータの通信を行う必要が無い場合は、Ｂｌｕｅｔｏｏｔｈ規格に定められたスニフモード、ホールドモードまたはパークモードの省電力モードに切り替えることにより、消費電力を抑えることが出来る。これは、特別なハードウェアを付加することなく、アプリケーション１７からも、モードを切り替えるよう実装することが可能である。
【００４７】
次に、デュアル無線情報機器１同士、あるいはＢｌｕｅｔｏｏｔｈ情報機器２を相手として、Ｂｌｕｅｔｏｏｔｈを用いた通信により、相手の機器が無線ＬＡＮインターフェイスを有しているかを検出するための処理動作について説明する。
【００４８】
上記処理動作を始める前に、Ｂｌｕｅｔｏｏｔｈ機器を見つけることから始める必要があるが、Ｂｌｕｅｔｏｏｔｈ規格では、インクワイアリーという機能によって、周囲にあるＢｌｕｅｔｏｏｔｈ機器の情報を簡単に取得する機能を有しているので、Ｂｌｕｅｔｏｏｔｈ機器を見つけるのは非常に簡単である。
【００４９】
これにより、機器固有のＢｌｕｅｔｏｏｔｈデバイスアドレス、デバイスがどのような情報機器に接続されているかを示すデバイスクラス、及び必要によってはデバイスに付けられたユーザフレンドリーな名前が得られる。
また、インクワイアリーと次に述べるサービスディスカバリーを組み合わせ、所望のサービスを有している機器を探すと、自動的にインクワイアリーを行うよう実装することも可能である。
【００５０】
次に、発見されたデバイスに対して、無線ＬＡＮインターフェイスを有しているか否かを検出する方法について述べる。
（第１の実施の形態）
第１の実施の形態は、無線ＬＡＮインターフェイスを有していることを、サービスディスカバリープロトコル（ＳＤＰ）で定められているサービスの１つとして登録し、検索可能にする方法である。
ＢｌｕｅｔｏｏｔｈのＳＤＰは、機器自身の有しているサービスを登録する方法と、通信相手がどのようなサービスを有しているかを検索するための方法と、が定められている。サービスがどのプロファイルを用いるものであるかということが、サービスクラスやプロトコルを指定するＵＵＩＤによって関連付けられている。
【００５１】
ＵＵＩＤは、プロトコルに対して一意に定義される１２８ｂｉｔの符合であり、Ｂｌｕｅｔｏｏｔｈで用いられるＵＵＩＤは、仕様書のうちＢｌｕｅｔｏｏｔｈ　Ａｓｓｉｇｎｅｄ　Ｎｕｍｂｅｒｓに記載されている。Ｂｌｕｅｔｏｏｔｈでは１２８ｂｉｔをそのまま用いるのではなく、省略された１６ｂｉｔの値を用いて記述されている。
【００５２】
本実施の形態においては、全て１６ｂｉｔの省略形を用いるものとする。
例えば、ＯＢＥＸプロトコルは０ｘ０００８、ＦＴＰは０ｘ０００Ａ、ＯＢＥＸファイルトランスファーのサービスクラスは０ｘ１１０６、ＬＡＮアクセスｕｓｉｎｇ　ＰＰＰのサービスクラスは０ｘ１１０２と、定められている。
ここで、無線ＬＡＮインターフェイスをＢｌｕｅｔｏｏｔｈから制御することが可能であるということを１つのサービスとして独自に定義する。
【００５３】
図４は、あるデュアル無線情報機器１に登録されたサービスクラスの一覧を示したものの一例である。つまり、プロトコル、サービスクラスを示すＵＵＩＤを独自に定義することにより、検索可能になる。使用するＩＤは、Ｂｌｕｅｔｏｏｔｈで用いられていないＵＵＩＤを用いる。但し、この場合、独自に定義したＵＵＩＤは、あくまでデュアル無線情報機器１上で動作するアプリケーション１７と互換性を持つアプリケーションでしか通用しないので注意が必要である。
【００５４】
例えば、プロファイルを独自として、Ｗｉｒｅｌｅｓｓ　ＬＡＮ　ＩＥＥＥ８０２．１１ｂというプロトコルをＵＵＩＤ＝０ｘ０２１１等、独自に定義する。
ここで、このプロトコルがＴＣＰ／ＩＰ／ＰＰＰ／ＲＦＣＯＭ／Ｌ２ＣＡＰという構造のプロトコル階層の上位にあるとし、Ｐｒｏｔｏｃｏｌ　Ｄｅｓｃｉｐｔｏｒ　Ｌｉｓｔとして、
（（Ｌ２ＣＡＰ，ＰＳＭ＝ＲＦＣＯＭＭ），（ＲＦＣＯＭＭ，ＣＮ＝１），（ＰＰＰ），（ＩＰ），（ＴＣＰ），（ＩＥＥＥ８０２．１１ｂ））
とし、ＩＥＥＥ８０２．１１ｂのサービスクラスをＵＵＩＤ＝０ｘ１３１１等独自に定義する。また、サービス名をＩＥＥＥ８０２．１１ｂと名付ける。
すると、上記のようにサービスを登録したデュアル無線情報機器１に対してサービス検索を行うと、
Ｐｒｏｔｏｃｏｌ　Ｄｅｓｃｉｐｔｏｒ　Ｌｉｓｔとして、
（（Ｌ２ＣＡＰ，ＰＳＭ＝ＲＦＣＯＭＭ），（ＲＦＣＯＭＭ，ＣＮ＝１），（ＰＰＰ），（ＩＰ），（ＴＣＰ），（ＩＥＥＥ８０２．１１ｂ））
を示すＵＵＩＤ、及び、サービスクラスとしてＵＵＩＤ＝０ｘ１３１１が得られ、Ｂｌｕｅｔｏｏｔｈにより無線ＬＡＮを制御するサービスを有していることが検出される。
【００５５】
図５は、上に述べたように、あるデュアル無線情報機器１に登録されたサービスクラスの一覧を、階層化して表示したものの一例である。
なお、この例で独自に定義したＵＵＩＤの値はあくまで例として挙げたものであり、実際にこの値を用いる必要は無い。不都合が起きないような別の値を用いることが可能である。
この例ではサービスの定義に必要なパラメータのうち、特に変更が必要であるものだけについて述べてある。残りのパラメータの定義は特に変更する必要は無いので、取り上げていない。
【００５６】
（第２の実施の形態）
次に、第２の実施の形態について説明する。
第２の実施の形態は、ＬＡＮアクセスのサービスのグループに属するサービスとして、上述の無線ＬＡＮサービスを登録する方法である。
サービスクラスを登録する際、ＢｒｏｗｓｅＧｒｏｕｐＬｉｓｔ（Ａｔｔｒｉｂｕｔｅ　ＩＤ　＝　０ｘ０００５）の値をＰｕｂｌｉｃＢｒｏｗｓｅＧｒｏｕｐ　（ｕｕｉｄ　＝）　０ｘ１００２）にした場合、直接ＯＢＥＸＦｉｌｅＴｒａｎｓｆｅｒ　（ｕｕｉｄ１６　＝　１１０６）　等指定するが、ＢｒｏｗｓｅＧｒｏｕｐＬｉｓｔの値を、ＰｕｂｌｉｃＢｒｏｗｓｅＧｒｏｕｐ　（ｕｕｉｄ　＝　０ｘ１００２）ではなく、他のサービスクラスのＵＵＩＤを指定した場合（例えばＯＢＥＸＦｉｌｅＴｒａｎｓｆｅｒ　（ｕｕｉｄ１６　＝　１１０６））、そのサービスのグループに属するサービスとして、サービスを階層化して登録することが出来る。
【００５７】
これを利用して、ＬＡＮＡｃｃｅｓｓＵｓｉｎｇＰＰＰ（ｕｕｉｄ　＝　０ｘ１１０２）　のグループに属するサービスとして、登録し、他のＢｌｕｅｔｏｏｔｈデバイスからサービス検索可能にする。
【００５８】
例えば、サービス名がＩＥＥＥ８０２．１１ｂであるサービスを、ＬＡＮＡｃｃｅｓｓｕｓｉｎｇｐｐｐ　（Ｕｕｉｄ　＝　０ｘ１１０２）のグループのサービスとして、定義し、そのＰｕｂｌｉｃＢｒｏｗｓｅＧｒｏｕｐの値をｕｕｉｄ　＝　０ｘ１１０２：　ＬＡＮＡｃｃｅｓｓＵｓｉｎｇＰＰＰとするＬＡＮＡｃｃｅｓｓＵｓｉｎｇＰＰＰ。
一方、ＬＡＮＡｃｃｅｓｓＵｓｉｎｇＰＰＰを
ＢｒｏｗｓｅＧｒｏｕｐｌｉｓｔ　＝　０ｘ１００２：　ＰｕｂｌｉｃＢｒｏｗｓｅＧｒｏｕｐ
として、直接ＵＵＩＤで定義する。
すると、このようにサービスを登録されたデバイスに対してサービス検索を行うと、ＬＡＮアクセスサービスを有しており、しかもそのグループのサービスとして、無線ＬＡＮインターフェイスを有していることが結果として得られる。
【００５９】
この例ではサービスの定義に必要なパラメータのうち、特に変更が必要であるものだけについて述べてある。残りのパラメータの定義は特に変更する必要は無いので、取り上げていない。
【００６０】
このように、Ｂｌｕｅｔｏｏｔｈ規格の無線インターフェイスを備えた情報機器が、ＩＥＥＥ８０２．１１規格の無線ＬＡＮインターフェイスと、Ｂｌｕｅｔｏｏｔｈ規格の無線通信インターフェイスの両方を備えた情報機器に対して、Ｂｌｕｅｔｏｏｔｈのサービスディスカバリーを用いることにより、通信相手が無線ＬＡＮインターフェイスを備えているかどうかを、容易に検索することが可能になる。無線ＬＡＮを用いて同様の効果を得るよりも、消費電力が少なくて済む。
【００６１】
（第３の実施の形態）
次に、第３の実施の形態について説明する。
第３の実施の形態は、ＢｌｕｅｔｏｏｔｈのＬＡＮアクセスプロトコル１５上で起動し、無線ＬＡＮを用いても通信が可能なアプリケーション１７を用いて、無線ＬＡＮインターフェイスを有しているかを登録・検索する方法である。
この場合、インターフェイス管理・選択部１６で管理している情報を用いて応答する、２つの少なくともＢｌｕｅｔｏｏｔｈによる通信が可能であり、ＢｌｕｅｔｏｏｔｈのＬＡＮアクセスプロトコル３５上で起動し、無線ＬＡＮを用いても通信が可能なアプリケーション１７が起動している情報機器同士が、Ｂｌｕｅｔｏｏｔｈによってアプリケーション１７層での接続を確立し、通信が可能とする。
【００６２】
一方の情報機器が他方に対して、無線ＬＡＮインターフェイスを有しているかを、アプリケーション１７のコマンドによって問うと、被検索側情報機器では、アプリケーション１７でコマンドを解釈し、インターフェイス管理・選択部１６に登録されている無線ＬＡＮに関する情報を呼び出す。アプリケーション１７はこの情報を、Ｂｌｕｅｔｏｏｔｈを用いて検索してきた情報機器に情報を返す。このような方法により、Ｂｌｕｅｔｏｏｔｈによる通信によって、相手が無線ＬＡＮインターフェイスを有しているかを知ることが可能となる。
【００６３】
このように、無線ＬＡＮの電源がＯＦＦであるか、または休止状態であっても、無線ＬＡＮインターフェイスを有しているかが、Ｂｌｕｅｔｏｏｔｈのサービスディスカバリーを用いることにより、無線ＬＡＮを使用せずに確認することが可能となる。この時、Ｂｌｕｅｔｏｏｔｈを用いて通信しているので、無線ＬＡＮを電源ＯＮにすることによる電力の消費を抑えることが可能になる。
【００６４】
また、上記実施の形態において、無線ＬＡＮの電源の状態をＢｌｕｅｔｏｏｔｈにおけるサービスディスカバリーのパラメータの１つとして、Ｂｌｕｅｔｏｏｔｈの通信のみによって検出する処理動作について述べる。
即ち、前述のように、インターフェイス管理・選択部１６がＢｌｕｅｔｏｏｔｈにおけるサービスの属性の中に、電源情報も含めて登録することにより、アプリケーション１７レベルの通信を行うことなく、ＢｌｕｅｔｏｏｔｈのＳＤＰ３２の通信のみで、電源状態を問い合わせることが可能となる。
【００６５】
上記実施方法として、無線ＬＡＮのサービス属性のうち、
ＳｅｒｖｉｃｅＡｖａｉｌａｂｉｌｉｔｙ　（ｕｕｉｄ　＝　０ｘ０００８）に電源状態を登録することが挙げられる。
この属性値のビット長はは８ｂｉｔである。ここで、電源がＯＮになっており、即無線ＬＡＮの通信が可能である場合には、この値を０ｘＦＦにし、電源が休止状態の場合は０ｘ００にする。この値をサービスディスカバリーにより問い合わせることにより、実現される。
【００６６】
（第４の実施の形態）
次に、第４の実施の形態について説明する。
第４の実施の形態は、上記実施の形態において、Ｂｌｕｅｔｏｏｔｈの通信によって、無線ＬＡＮの各種設定情報を入手するものである。
インターフェイス管理・選択部１６は、例えば、無線ＬＡＮインターフェイスの使用モード（アドホックモード／インフラストラクチャーモード）、無線ＬＡＮアクセスポイントに接続している際のＥＳＳ−ＩＤ、使用しているチャネル、通信速度、変調方式、ＷＥＰ等の設定を管理しており、他の情報機器から問い合わせが来た場合、アプリケーション１７は、インターフェイス管理選択部１６から情報を取得して、返答する。
勿論、セキュリティの都合から、これら全部の情報を送信する必要は無く、また、相手ユーザに理解可能な形で内容が表示される必要も無い。
即ち、接続相手の情報機器が、自身と無線ＬＡＮによる通信を行うのに必要な設定情報が得られれば良い。
また、アプリケーション１７は、この設定情報を要求された時、ユーザに確認を求めるダイアログを表示させ、これを許可、または不許可とすることが出来る機能を付加することも可能である。
【００６７】
このように、Ｂｌｕｅｔｏｏｔｈ規格の通信により、情報機器の無線ＬＡＮインターフェイスの設定情報を入手することが可能になり、これにより、Ｂｌｕｅｔｏｏｔｈでネットワークを構成した状態で、容易に無線ＬＡＮによるネットワークを構築することが可能となる。
【００６８】
（第５の実施の形態）
次に、第５の実施の形態について説明する。
第４の実施の形態が、相手が情報を問い合わせる形式であるのに対して、第５の実施の形態は、こちらから相手に設定情報を提供し、無線ＬＡＮによる通信を開始可能な状態にするように要求するものである。
同様に、デュアル無線情報機器１のアプリケーション１７は、インターフェイス管理・選択部１６から無線ＬＡＮインターフェイスの使用モード（アドホックモード／インフラストラクチャーモード）、無線ＬＡＮアクセスポイントに接続している際のＥＳＳ−ＩＤ、使用しているチャネル、通信速度、変調方式、ＷＥＰ等の設定を読み取り、無線ＬＡＮ通信を行いたい相手にその設定情報を送信する。
【００６９】
上記情報を受け取った相手側の通信機器は、インターフェイス管理・選択部１６によってこの情報を元に設定を変更し、要求してきたデュアル無線情報機器１と無線ＬＡＮ接続が可能な状態になる。この時、無線ＬＡＮ接続のために設定を変更してよいかをユーザに問い合わせる機能を、アプリケーション１７を持つことも可能である。
【００７０】
このように、Ｂｌｕｅｔｏｏｔｈ規格の通信により、情報機器の無線ＬＡＮインターフェイスの設定情報を変更するよう指示することが可能になり、これにより、Ｂｌｕｅｔｏｏｔｈでネットワークを構成した状態で、容易に無線ＬＡＮによるネットワークを構築することが可能となる。
【００７１】
（第６の実施の形態）
次に、第６の実施の形態について説明する。
第６の実施の形態は、第５の実施の形態において、デュアル無線情報機器１−１、１−２同士で、アドホックモードで通信を行うのではなく、図２に記載のように、インフラストラクチャーモードで、無線ＬＡＮアクセスポイント５を介した通信を行う。
即ち、無線ＬＡＮアクセスポイント５と現在接続しているデュアル無線情報機器１は、インターフェイス管理・選択部１６に無線ＬＡＮアクセスポイント５に接続するのに必要な設定情報を有している。
【００７２】
ここで、第５の実施の形態と同様に、他のデュアル無線情報機器１−２に対して、無線ＬＡＮアクセスポイント５に接続するのに必要な設定情報を送信し、この情報を受け取った相手側の機器１−２は、インターフェイス管理・選択部１６によってこの情報を元に設定を変更し、無線ＬＡＮアクセスポイント５と無線ＬＡＮ接続が可能な状態になる。
【００７３】
このように、Ｂｌｕｅｔｏｏｔｈ規格の通信による情報のやり取りにより、無線ＬＡＮインターフェイスを用いて通信を行う際、使用する無線ＬＡＮアクセスポイントに接続するために設定情報を変更するよう指示することが可能となり、容易に無線ＬＡＮアクセスポイントを介した無線ＬＡＮネットワークを構築することが可能となる。
【００７４】
一方で、無線ＬＡＮアクセスポイント５と通信可能なデュアル無線情報機器１−１に対して、他のデュアル無線情報機器１−２は、第４の実施の形態と同様に、無線ＬＡＮアクセスポイント５に接続するのに必要な設定情報を問い合わせ、その情報を取得することが可能となっている。
【００７５】
さらに、無線ＬＡＮアクセスポイント５自身が、Ｂｌｕｅｔｏｏｔｈ規格のインターフェイスを兼ね備えており、検索に応答する機能、及び、無線ＬＡＮの設定情報を変更することを要求する機能を有することも可能である。
【００７６】
また、インターフェイス管理・選択部１６が、この無線ＬＡＮの設定情報を、電子ファイルとして保存し、管理し、この電子ファイルをＢｌｕｅｔｏｏｔｈの同期プロファイルや、オブジェクトプッシュプロファイルで規定されたＯＢＥＸプロトコル層の通信によって、行うことも可能である。勿論、これらのプロファイルを用いて、無線ＬＡＮの設定情報の転送・交換を要求された時、要求を拒否するよう実装することも可能である。
【００７７】
なお、Ｂｌｕｅｔｏｏｔｈにおいては、図３のＢｌｕｅｔｏｏｔｈ上位プロトコル層１４にＯＢＥＸというプロトコル層３６があり、シリアル通信をエミュレートするＲＦＣＯＭＭ３３の上に位置し、ファイルやフォルダなどのオブジェクトを機器間でＢｌｕｅｔｏｏｔｈによって交換するためのプロトコルである。
【００７８】
このプロトコルを用いるアプリケーションプロファイルがジェネリック・オブジェクト・エクスチェンジ・プロファイルとして定められている。このプロファイルを基本とする上位のアプリケーションプロファイルに、名刺や予定表のやり取りを行うオブジェクトプッシュ、ファイル転送を行うファイル転送プロファイル（ＦＴＰ）、ファイル・フォルダの同期を取る同期プロファイルが定められている。
【００７９】
これらを用いることで、無線ＬＡＮ設定情報を交換する際の通信が、汎用性の高いものとなる。なお、ＰＣ等の情報機器のＢｌｕｅｔｏｏｔｈドライバーアプリケーションには、これらのプロファイルが実装されているのが普通である。よって、汎用性が高くなる。
【００８０】
また、無線ＬＡＮの設定情報を１つのファイルにまとめて管理・保存してもよいが、パラメータ毎に別々のファイルとして保存することにより、更に利便性を向上できる。
【００８１】
例えば、Ｂｌｕｅｔｏｏｔｈの同期プロファイルを用いて、変更されたパラメータのファイルのみを、転送して同期を取ることが可能である。
即ち、無線ＬＡＮ設定情報を記録した各ファイルの最終更新時間を、自身の情報機器のものと、例えば相手である無線ＬＡＮアクセスポイント５のものと比較し、無線ＬＡＮアクセスポイントの設定情報のいくつかが新しい内容に変更されていた場合、更新されたものだけをＢｌｕｅｔｏｏｔｈによって転送すればよい。
また、複数の情報機器における無線ＬＡＮの設定情報を個別に管理することにより、一度接続したことのあるデュアル無線情報機器１との接続が容易になる。
【００８２】
また、上述のように、パラメータ毎に別々のファイルを用いることにより、同期プロファイルを用いて、少量の通信両で設定情報を最新のものに更新することが可能となる。
【００８３】
以上、述べてきた発明により、Ｂｌｕｅｔｏｏｔｈの通信のみによって、デュアル無線情報機器１が無線ＬＡＮによる接続を確立するのに必要な情報を、簡単な操作により得ることが可能になる。この時、無線ＬＡＮの電波の受送信を停止した状態にしておけるので、無線ＬＡＮインターフェイスの無駄な電力消費を抑えられる。
【００８４】
なお、上述する実施の形態は、本発明の好適な実施の形態であり、本発明の要旨を逸脱しない範囲において種々変更実施が可能である。
【００８５】
【発明の効果】
以上の説明より明らかなように本発明は以下のような効果を奏し得る。
第１の効果として、Ｂｌｕｅｔｏｏｔｈ規格の無線インターフェイスを備えた情報機器が、ＩＥＥＥ８０２．１１規格の無線ＬＡＮインターフェイスと、Ｂｌｕｅｔｏｏｔｈ規格の無線通信インターフェイスの両方を備えた情報機器に対して、Ｂｌｕｅｔｏｏｔｈのサービスディスカバリーを用いることで、相手が無線ＬＡＮインターフェイスを備えているかどうかを、容易に検索することが可能になる。無線ＬＡＮを用いて同様の効果を得るよりも、消費電力が少なくて済む。
【００８６】
第２の効果として、Ｂｌｕｅｔｏｏｔｈ規格の通信により、相手情報機器の無線ＬＡＮインターフェイスの設定情報を入手することが可能になり、これにより、Ｂｌｕｅｔｏｏｔｈでネットワークを構成した状態で、容易に無線ＬＡＮによるネットワークを構築することが可能となる。
【００８７】
第３の効果として、Ｂｌｕｅｔｏｏｔｈ規格の通信により、相手情報機器の無線ＬＡＮインターフェイスの設定情報を変更するよう指示することが可能になり、これにより、Ｂｌｕｅｔｏｏｔｈでネットワークを構成した状態で、容易に無線ＬＡＮによるネットワークを構築することが可能となる。
【００８８】
第４の効果として、Ｂｌｕｅｔｏｏｔｈ規格の通信による情報のやり取りにより、無線ＬＡＮインターフェイスを用いて通信を行う際、使用する無線ＬＡＮアクセスポイントに接続するために設定情報を変更するよう指示することが可能となり、容易に無線ＬＡＮアクセスポイントを介した無線ＬＡＮネットワークを構築することが可能となる。
【図面の簡単な説明】
【図１】本発明にかかる情報通信装置が通信を行う際のシステム構成を示す図である。
【図２】無線ＬＡＮアクセスポイントを利用する場合のシステム構成を示す図である。
【図３】本発明にかかる情報機器の無線プロトコルの構成例を示す図である。
【図４】サービスクラスの第１の登録例を示す図である。
【図５】サービスクラスの第２の登録例を示す図である。
【符号の説明】
１　デュアル無線情報機器
２　Ｂｌｕｅｔｏｏｔｈ情報機器
３　無線ＬＡＮ情報機器
４　Ｂｌｕｅｔｏｏｔｈ携帯電話
５　無線ＬＡＮアクセスポイント
６　Ｂｌｕｅｔｏｏｔｈ通信
７　無線ＬＡＮ通信
１１　Ｂｌｕｅｔｏｏｔｈ物理層
１２　Ｂｌｕｅｔｏｏｔｈベースバンド層
１３　Ｂｌｕｅｔｏｏｔｈ　ＬＬＣ（論理リンク制御）層
１４　Ｂｌｕｅｔｏｏｔｈ上位プロトコル層
３１　Ｌ２ＣＡＰ層
３２　ＳＤＰ層
３３　ＲＦＣＯＭＭ層
３４　ＴＣＳ層
３５　Ｂｌｕｅｔｏｏｔｈ　ＬＡＮ　アクセスプロトコル層
３６　ＯＢＥＸ層
１６　インターフェイス管理選択部
１７　アプリケーション
２１　ＩＥＥＥ８０２．１１物理層
２２　ＩＥＥＥ８０２．１１ＭＡＣ層
２３　ＩＥＥＥ８０２．２　ＬＬＣ（論理リンク制御）層
２４　ＩＥＥＥ８０２．１　ＨＬＬＩ層
２５　無線ＬＡＮ電源制御部
【図１】
2004112225.tif 000003
【図２】
2004112225.tif 000004
【図３】
2004112225.tif 000005
【図４】
2004112225.tif 000006
【図５】
2004112225.tif 000007